(57)【要約】【課題】屋外に設置されるために雨曝しとなり、大量の水が浸入することになっても、確実に装置外へ排出することで、動作不良を防止すると共に故障を防止することが可能な情報表示装置を提供する。【解決手段】情報を表示する表示部を収納する装置本体に、表示部３１の表示面３１ａを露出する開口部２２０２と、開口部２２０２の下端に沿った内側に設けられた通水溝２２３５と、装置本体の底面に通水溝からの水を排出する排水孔と、表示部３１と開口部２２０２の縁部との間に、表示面３１ａ上を流れる水を通水溝２２３５へ案内するガイド板として機能する保護シート３８とが設けられていることを特徴とする情報表示装置。【選択図】図５
2007293120.tif 000002
【特許請求の範囲】
【請求項１】
情報を表示する表示部を収納する装置本体に、
前記表示部の表示面を露出する開口部と、
前記開口部の下端に沿った内側に設けられた通水溝と、
前記装置本体の底面に前記通水溝からの水を排出する排水孔と、
前記表示部と前記開口部の縁部との間に、前記表示面上を流れる水を前記通水溝へ案内するガイド板とが設けられていることを特徴とする情報表示装置。
【請求項２】
前記ガイド板は、前記表示面全体を覆うように形成されていることを特徴とする請求項１記載の情報表示装置。
【請求項３】
前記装置本体には、前記通水溝からの水を前記排水孔まで導水する通水路が、前記装置本体を形成する前面板と側面板との内側隅部に沿って設けられていることを特徴とする請求項１または２記載の情報表示装置。
【請求項４】
前記通水路は、前記内側隅部と、前記前面板と側面板とに設けられた板状断熱材の厚みによって形成された壁面とで囲まれた空間であることを特徴とする請求項３記載の情報表示装置。
【請求項５】
前記通水溝は、前記排水孔の上方へ向かって下り傾斜となるように形成されていることを特徴とする請求項１から４のいずれかの項に記載の情報表示装置。
【発明の詳細な説明】
【技術分野】
【０００１】
本発明は、利用者が所望とする様々な情報を表示することが可能な情報表示装置に関する。
【背景技術】
【０００２】
様々な情報を表示する情報表示装置は、例えば企業の施設に設置されたり、ショッピングモールや街頭に設置されたり、鉄道の駅やバス停や空港などに設置されたりする。情報表示装置は、例えば、企業に設置されるときには、訪問先の氏名や部門から内線電話を検索して表示し、正しければ利用者の操作によりその内線番号に電話をかけ受付として機能するものである。また、ショッピングモールや街頭に設置されるときにはショッピングモール内の店舗の情報や、地域の店舗の情報や、イベントなどの情報を表示したり、また、駅やバス停や空港などでは、発着便のお知らせや、時刻表などを表示したりする。このように、情報表示装置は、設置場所に応じた情報を提供して利用者の利便性を高めるだけでなく、設置者側にとっても人員を配置する必要がないので、益々普及するものと思われる。
【０００３】
ところで、情報表示装置は、企業やショッピングモールに設置されるときには屋内に設置されることになるが、バス停や街頭などに設置される場合では屋根などない場合が多く、雨や雪に曝されることになる。簡易な屋根が設置されることもあるが、風が強いときなどは、ほとんど役に立たないこともある。屋根のない場所に設置される場合には、太陽の直射日光に曝されることにもなるので、高い耐候性が求められる。
【０００４】
このような屋外に設置される自立型の従来の情報表示装置が特許文献１の記載にされている。この特許文献１に記載の屋外情報表示装置は、地面に円筒状のケーシングを立設し、このケーシング内に設けた設置空間に画像表示装置を設置し、周壁部に設けた窓部から画像表示装置の表示画面を視認することができるようにしたものである。
また、耐候性を高めたものとして携帯情報機器ではあるが特許文献２に記載されたものがある。この特許文献２に記載の携帯情報機器は、機器本体内に水が浸入したときに、機器本体の側面に設けられた開口部を開閉自在に塞ぐコネクタ用の蓋体の内面に、その上辺および左右両側辺の周囲に沿って設けられた導水溝に浸入した水を流し込んだ後、排出路に導いて機器本体の裏面側から外部に排出するようしたものである。
【０００５】
【特許文献１】特開２００６−３９０８８号公報
【特許文献２】特開２００３−３０８１３４号公報
【発明の開示】
【発明が解決しようとする課題】
【０００６】
携帯情報機器では、利用するときには利用者が把持した状態で使用されるので、雨の降る屋外で使用するときには、できるだけ雨がかからないように操作される。従って、機器本体内に浸入する水の量も少ないものと思われる。
【０００７】
しかし屋外に設置される情報表示装置では、設置されると移動することは少なく、利用者が利用している間も、利用していないときでも、雨曝しとなることが多い。
【０００８】
特許文献２に記載の携帯情報機器では、導水溝を、単に蓋体の上辺および左右両側辺の周囲に沿って設けているだけなので、浸入する水の量が多いと、蓋体と開口部との隙間から導水溝を勢いよく超えてしまい、モジュールと称される回路基板やハードディスクを収納した内部ケースに水がかかるおそれがある。
【０００９】
つまり、情報表示装置では、最も水の浸入が懸念される、表示部と、その表示面を露出する開口部との隙間から、大量に水が浸入すると防ぎきれないおそれがある。そうなると動作不良を起こしたり、装置が故障したりするおそれがある。
【００１０】
そこで本発明は、屋外に設置されるために雨曝しとなり、大量の水が浸入することになっても、確実に装置外へ排出することで、動作不良を防止すると共に故障を防止することが可能な情報表示装置を提供することを目的とする。
【課題を解決するための手段】
【００１１】
本発明の情報表示装置は、情報を表示する表示部を収納する装置本体に、前記表示部の表示面を露出する開口部と、前記開口部の下端に沿った内側に設けられた通水溝と、前記装置本体の底面に前記通水溝からの水を排出する排水孔と、前記表示部と前記開口部の縁部との間に、前記表示面上を流れる水を前記通水溝へ案内するガイド板とが設けられていることを特徴とする。
【００１２】
表示面に降った雨は、表示面を伝って流れ開口部の下端に到達する。そして開口部の縁部と表示部との隙間から装置本体の内部に浸入するが、表示部と開口部の縁部との間に、表示面上を流れる水を通水溝へ案内するガイド板が設けられているので、ガイド板を伝わらせて浸入した水を通水溝へ流すことができる。通水溝へ流れた水は、通水溝から装置本体の底面に設けられた排出孔に流れ、排出孔から排出することができる。
【００１３】
前記ガイド板は、前記表示面全体を覆うように形成されているのが望ましい。このようにガイド板が形成されていることで、表示面のどの場所に雨が滴下しても通水溝に導水することができる。また、表示面側から見て利用者にガイド板を取り付けていることが分かりにくいので、外観が優れた情報表示装置とすることができる。
【００１４】
前記装置本体には、前記通水溝からの水を前記排水孔まで導水する通水路が、前記装置本体を形成する前面板と側面板との内側隅部に沿って設けられていることで、装置本体が縦長で通水溝から排水孔までの高低差があったとしても、確実に水を排水孔まで通水路を通じて導水することができる。
【００１５】
前記通水路は、前記内側隅部と、前記前面板と側面板とに設けられた板状断熱材の厚みによって形成された壁面とで囲まれた空間であることが望ましい。屋外に情報表示装置が設置されると、雨風に曝されるだけでなく太陽からの直射日光にも曝される。直射日光は、装置本体内部を加熱して、表示部などの回路部品を誤作動させたり、寿命を短くしたりする。従って、保護するために板状断熱板材を、装置本体を形成する前面板と側面板との内面に備え、その厚みによって形成される壁面で通水路の一部とすることで、全天候に耐えることのできる情報表示装置とすることができる。
【００１６】
また、前記通水溝は、前記排水孔の上方へ向かって下り傾斜となるように形成されているので、少しの雨水であっても、通水溝を伝わらせて排水孔から雨水を容易に排出させることができる。
【発明の効果】
【００１７】
本発明の情報表示装置は、表示面を伝わって浸入する水を、ガイド板を伝わらせて通水溝へ流し、通水溝から装置本体の底面に設けられた排出孔へ流し、排出孔から排出することができるので、大量の水が浸入することになっても、確実に装置外へ排出することで、動作不良を防止すると共に故障を防止することが可能である。
【発明を実施するための最良の形態】
【００１８】
本発明の実施の形態に係る情報表示装置を図面に基づいて説明する。まずは情報表示装置の構成について図１から図７に基づいて説明する。図１は、本発明の実施の形態に係る情報表示装置を正面から見た斜視図である。図２は、図１に示す情報表示装置を背面から見た斜視図である。図３は、図１に示す情報表示装置の垂直断面図である。図４は、収納部の裏側に取り付けられる第３蓋部を外した状態を示す図である。図５は、表示部が取り付けられた部分を拡大した図である。図６は、図３におけるＡ−Ａ線断面矢視図である。図７は、本発明の実施の形態に係る情報表示装置の構成を示す構成図である。なお、図１から図６においては、配線ケーブルなどは、便宜上、図示していない。
【００１９】
図１に示すように情報表示装置１０は、街頭などの屋外に設置され、インターネットを介して情報提供サーバと接続して、飲食店や施設などの店舗情報や、イベントなどのチケット情報や、不動産物件情報や、中古車情報などを表示する自立型の端末装置である。情報表示装置１０は、装置本体２０として楕円形状の台座部２１と、縦長の略直方体状に形成された収納部２２とを備えている。台座部２１には、４個のキャスタ２３が設けられている。
【００２０】
図７に示すように、装置本体２０の収納部２２には、表示部３１と、操作部３２と、スピーカ３３と、カメラ３４と、マイク３５と、通信制御部３６とが収納されている。
【００２１】
図１に示すように、装置本体２０の収納部２２の上部には、正面視して矩形状の凹部２２０１が形成されている。この凹部２２０１に、表示部３１が表示面３１ａを開口部２２０２から露出させ、傾斜した状態で設けられている。また凹部２２０１には、スピーカ３３と、カメラ３４と、マイク３５とが配置されている。
【００２２】
表示部３１は、本実施の形態ではＬＣＤ（Liquid Crystal Display）を採用しているが、ＣＲＴ（Cathode Ray Tube）とすることもできる。しかしＬＣＤの方が薄く、かつ発熱量も小さいので表示部３１をＬＣＤとするのが望ましい。操作部３２は、表示部３１の表示面３１ａに設けられたタッチパネルである。
【００２３】
スピーカ３３は、凹部２２０１の上部の垂直面に、右側用スピーカ３３１と左側用スピーカ３３２とが２個設けられている。カメラ３４は、右側用スピーカ３３１の右側であり、表示面３１ａの上側に設けられている。マイク３５は、カメラ３４の右側に設けられている。スピーカ３３は、通信制御部３６からの音声ガイダンスや検索結果の音声などを出力する。またスピーカ３３とカメラ３４とマイク３５とで、利用者が必要に応じて情報提供している業者に質問したいときにテレビ電話として通話することができる。
【００２４】
図３および図７に示すように通信制御部３６は、パーソナルコンピュータ（以下、ＰＣと称す。）本体を使用しており、アンテナ３７を介して近くの無線スポットからネットワークの一例であるインターネットへアクセスする。また、通信制御部３６は、モデムや光終端装置と接続するために、ＬＡＮ（Local area Network）ケーブルを接続することも可能である。通信制御部３６として動作するＰＣは、操作部３２から入力される検索項目を、インターネットを介して接続される情報提供サーバへ送信して、その検索項目に応じた検索結果を受信して表示部３１に表示する機能を備えている。また、通信制御部３６には、メンテナンスのときに使用されるキーボードとマウスが接続されている（図示せず）。通信制御部３６が、インターネットとの接続を無線通信で行うことで、情報表示装置１０を街頭などの屋外に設置しても、煩雑な配線を省略することができ、配置場所の選定が容易である。また、ショッピングモールやデパートに設置するときで、容易にＬＡＮの配線が可能な場合には、ＬＡＮケーブルで接続することで高速に通信することが可能である。
【００２５】
図２および図３に示すように、収納部２２の内部は、下段部２２１０と、中段部２２２０、上段部２２３０とに縦に３区分するように形成されている。
【００２６】
下段部２２１０の裏側には第１蓋部２２１１が設けられ、この第１蓋部２２１１に、吸気ファン２２１２が、下方が開放したカバー２２１３と共に設けられている。また、下段部２２１０と中段部２２２０との境には、塵埃が中段部２２２０に浸入しないようにフィルタ２２１４が設けられている。このフィルタ２２１４は、第１蓋部２２１１を開けて、前後にスライドすることで、容易に交換できるように、収納部２２に取り付けられている。
【００２７】
中段部２２２０には、通信制御部３６の制御部本体３６１と制御部本体３６１に接続されるハードディスク３６２とが収納されている。中段部２２２０の裏側には、第２蓋部２２２１が設けられている。この第２蓋部２２２１を制御部本体３６１から電源ケーブル３６３が商用電源に接続するために貫通している。ハードディスク３６２は、箱状に形成されたヒートシンク３６４に収納され、下方が開放したカバー２２２３と共に、第３蓋部２２２２に設けられている。第３蓋部２２２２は、中段部２２２０から上段部２２３０へ跨るように設けられている。上段部２２３０と中段部２２２０との境には、通気性を保ちつつ表示部３１のＡＣアダプタなどを載置するために、格子状に形成された台板２２３１が設けられている。
【００２８】
上段部２２３０には、正面側に表示部３１が、裏面側には排気ファン２２３２が設けられている。この表示部３１は、タッチパネルである操作部３２の上に、表示面３１ａ全体を覆うように保護シート３８（図５参照）が設けられている。この保護シート３８は、透明なフィルムであり、表示部３１の表示面３１ａを保護するだけでなく、反射を防止する機能も備えている。
【００２９】
排気ファン２２３２は、下方が開放したカバー２２３３と共に、第３蓋部２２２２に取り付けられている。また上段部２２３０の裏側の最上段には、第４蓋部２２３４が設けられている。そして上段部２２３０には、図４および図５に示すように、表示部３１が取り付けられている開口部２２０２の下端に沿って平行となるように通水溝２２３５が設けられている。通水溝２２３５は、開口部２２０２の下端縁部の内側面を一方の溝面として、収納部２２の前面板２２１と側面板２２２，２２２とで形成される一方の内側隅部から他方の内側隅部に至るまで、垂直断面がコ字状となるように設けられている。通水溝２２３５の両端部底面には、通水孔２２３６が形成されている。
【００３０】
図３および図６に示すように、収納部２２を形成する前面板２２１には断熱板材２２３が、側面板２２２には、断熱板材２２４が貼り付けられている。また第１蓋部２２１１と、第２蓋部２２２１と、第３蓋部２２２２と、第４蓋部２２３４とにも断熱板材２２５〜２２８が貼り付けられている。
【００３１】
断熱板材２２３〜２２８は、発泡ウレタン、発泡スチロール、発泡ポリエチレンなどを板状に成型したものであるが、直射日光が収納部２２を照射して加熱しても、内部に熱を伝え難くする熱伝導率が低いものであれば他のものでも使用できる。断熱板材２２３〜２２８は、各隅部に、縦長の空間を確保するように矩形状に形成されている。従って、前面板２２１と側面板２２２とで形成される内側隅部と、断熱板材２２３と断熱板材２２４との厚みによる壁面とでできる縦長の空間は、通水溝２２３５の通水孔２２３６から台座部２１まで連通することで通水路として機能する。断熱板材２２３，２２４の厚みによる壁面が、通水路の壁面として機能するには、隙間無く断熱板材２２３と断熱板材２２４とを位置合わせして前面板２２１と側面板２２２とに貼り合わせるのが望ましいが、製造上の誤差により多少隙間があっても落下する水が通信制御部３６側に漏れ出ない程度であれば問題はない。
【００３２】
台座部２１には、通水溝２２３５の通水孔２２３６の真下となる位置に排水孔２１１０が２ヵ所設けられている。
【００３３】
以上のように構成される本発明の実施の形態に係る情報表示装置１０の使用状態について、図１から図６に基づいて説明する。
【００３４】
図１から図３に示すように、情報表示装置１０は、屋外に設置されるので、晴天の日には太陽から直射日光が照射される。表示部３１の表示面３１ａは、収納部２２に形成された凹部２２０１の庇部２２０３により少し奥まったところに位置しているので、利用者が表示面の前に立つことで、利用者と凹部２２０１とで、日光が表示面３１ａに映り込むことを抑止することができる。
【００３５】
直射日光は、情報表示装置１０を加熱して内部の温度を上昇させるように作用する。しかし、収納部２２を形成する前面板２２１と側面板２２２とに貼り付けられた断熱板材２２３，２２４と、各蓋部（第１蓋部２２１１、第２蓋部２２２１、第３蓋部２２２２、第４蓋部２２３４）に貼り付けられた断熱板材２２５〜２２８とにより、収納部２２内部は囲まれているので、収納部２２内部が過度に加熱してしまうことを防止できる。従って、夏の晴天の日でも通信制御部３６が動作可能な範囲の温度とすることができる。
【００３６】
また、図３に示すように、吸気ファン２２１２により吸入された冷却風となる外気は、下段部２２１０の空間に取り込まれる。取り込まれた冷却風は、フィルタ２２１４を通過することで、外気に含まれる砂などの塵埃が除去される。フィルタ２２１４を通過した冷却風は、通信制御部３６の周囲を流れ、通信制御部３６を冷却する。次に、冷却風は、通信制御部３６から通信制御部３６の上方に位置するハードディスク３６２を収納するヒートシンク３６４を冷却することで、ハードディスク３６２を冷却する。そして、冷却風は、通信制御部３６およびハードディスク３６２を除熱することで加熱されて温風となり、排気ファン２２３２から収納部２２の外側へ排気される。
【００３７】
このように、吸気ファン２２１２から吸入された外気が、通信制御部３６およびハードディスク３６２を冷却するので、安定した動作を行うことができる。また、外気を収納部２２の下部から吸気して上部で排気しているので、内部で加熱され上昇する温風を冷却風の流れに逆らうことなく外側に排気させることができる。従って、効果的に内部を冷却することができる。
【００３８】
図３から図６に示すように雨天の日には、装置本体２０全体が濡れることになる。表示面３１ａに降る雨は、表示面３１ａを覆う保護シート３８を伝わり開口部２２０２の下端に到達し、開口部２２０２と表示部３１との隙間から収納部２２の内部に浸入する。しかし、表示部３１の下端より長く保護シート３８の下端が位置するように形成され、かつ保護シート３８の傾斜方向が通水溝２２３５内へ向かうように設けられているので、大量に水が浸入しても保護シート３８を伝わって確実に通水溝２２３５へ流し込むことができる。従って、表示部３１を濡らすことなく、かつ通水溝２２３５から内側方向へ漏らすことなく通水溝２２３５へ流し込むことができる。浸入した水を通水溝２２３５から内側方向へ漏らさないために、通水溝２２３５の幅を広くすることも考えられるが、通水溝２２３５の幅を広くすると、浸入した水が少量の場合には通水溝２２３５に滞留してしまうおそれがある。本実施の形態に係る情報表示装置１０では、保護シート３８により浸入した水を確実に通水溝２２３５へ流し込むことができるので、通水溝２２３５の幅を適度な幅に設定することができ、通水溝２２３５に蓄積された水が少量でも、通水溝２２３５を下流方向へ流出させることができる。
【００３９】
通水溝２２３５へ流れ込んだ水は、通水溝２２３５を伝わり、両端部の通水孔２２３６から落下する。通水孔２２３６から落下した水は、前面板２２１と側面板２２２と断熱板材２２３，２２４とに囲まれた通水路として機能する縦長の空間を通過して、真下にある排水孔２１１０へ到達する。落下する水は、排水孔２１１０へ直接到達する場合もあるが、前面板２２１や、側面板２２２や、断熱板材２２３，２２４を伝わって到達する場合もある。通水路は、前面板２２１と側面板２２２と断熱板材２２３，２２４とに囲まれているので、通信制御部３６を濡らすことはない。断熱板材２２３，２２４は、水を吸収しないので、通信制御部３６へ影響を与えることなく通水することができる。また断熱板材２２３，２２４が水を多少吸収するような素材で形成されていたとしても、吸収した水は収納部２２内部を流れる温風により蒸発し排気されるので通信制御部３６への影響はない。
【００４０】
このように、情報表示装置１０として、最も水の浸入が懸念される、表示部３１と、その表示面３１ａを露出する開口部２２０２との隙間から、大量に水が浸入しても、保護シート３８により確実に通水溝２２３５へ流し込んで排水孔２１１０から流し出すので、通信制御部３６が動作不良を起こしたり、故障したりすることを防止できる。従って、情報表示装置１０は、設置される場所が屋外で雨曝しとなっても、屋内で利用者がジュースやコーラなどの飲料水を飲みながら操作して誤ってこぼすようなことになっても、問題なく稼働させることができる。
【００４１】
特に、操作部３２であるタッチパネルが感圧式である場合には、保護シート３８と開口部２２０２との間を塞ぐようにシーリング材などを塗布すると、常に操作部３２を押圧した状態となるので誤動作の原因となり、シーリング材で隙間を埋めることができない。従って、本実施の形態に係る情報表示装置１０のように保護シート３８で雨水やジュースなどの水気を通水溝２２３５へ確実に導水することで、シーリング材の塗布を省略できる。開口部２２０２へのシーリング材の塗布を省略することで見栄えも向上させることができる。
【００４２】
本実施の形態では、通水溝を開口部２２０２の下端に沿って平行となるように通水溝２２３５が設けられているが、通水溝を、中央から両端部に向かうに従ってそれぞれ下り傾斜となるように形成してもよいし、一方の端部を高く、他方の端部を低くするように傾斜させてもよい。そうすることで、浸入した水が少量でも、迅速に通水孔２２３６へ流すことができる。
【００４３】
また、本実施の形態では、前面板２２１と側面板２２２と断熱板材２２３，２２４とに囲まれた縦長の空間を通水路としたが、管状の通水管を配置してもよいし、断熱板材２２３，２２４の代わりに通信制御部３６を固定するための板材などで囲うようにしてもよい。
【産業上の利用可能性】
【００４４】
本発明は、様々な情報を表示することができる情報表示装置に好適であり、特に、太陽の直射日光や風雪などに曝される屋外に設置されるような場合に最適である。
【図面の簡単な説明】
【００４５】
【図１】本発明の実施の形態に係る情報表示装置を正面から見た斜視図である。
【図２】図１に示す情報表示装置を背面から見た斜視図である。
【図３】図１に示す情報表示装置の垂直断面図である。
【図４】収納部の裏側に取り付けられる第３蓋部を外した状態を示す図である。
【図５】表示部が取り付けられた部分を拡大した図である。
【図６】図３におけるＡ−Ａ線断面矢視図である。
【図７】本発明の実施の形態に係る情報表示装置の構成を示す構成図である。
【符号の説明】
【００４６】
１０  情報表示装置
２０  装置本体
２１  台座部
２１１０  排水孔
２２  収納部
２２１  前面板
２２２  側面板
２２３〜２２８  断熱板材
２２０１  凹部
２２０２  開口部
２２０３  庇部
２２１０  下段部
２２１１  第１蓋部
２２１２  吸気ファン
２２１３  カバー
２２１４  フィルタ
２２２０  中段部
２２２１  第２蓋部
２２２２  第３蓋部
２２２３  カバー
２２３０  上段部
２２３１  台板
２２３２  排気ファン
２２３３  カバー
２２３４  第４蓋部
２２３５  通水溝
２２３６  通水孔
２３  キャスタ
３１  表示部
３１ａ  表示面
３２  操作部
３３  スピーカ
３３１  右側用スピーカ
３３２  左側用スピーカ
３４  カメラ
３５  マイク
３６  通信制御部
３６１  制御部本体
３６２  ハードディスク
３６３  電源ケーブル
３６４  ヒートシンク
３７  アンテナ
３８  保護シート
【図１】
2007293120.tif 000003
【図２】
2007293120.tif 000004
【図３】
2007293120.tif 000005
【図４】
2007293120.tif 000006
【図５】
2007293120.tif 000007
【図６】
2007293120.tif 000008
【図７】
2007293120.tif 000009